(57)【要約】【課題】  新たな呼設定の要求によるリソースの消費に対し、既存のリンクを維持するように無線基地局装置内のリソースをフレキシブルに変更する。【解決手段】  無線ネットワーク制御装置１０は、新たな呼設定の要求に伴い、優先度情報を含んだセットアップメッセージを無線基地局装置２０に送信する（ステップＳ１１）。無線基地局装置２０は、受信したメッセージ内の拡散率（ＳＦ）情報を参照し、設定に必要なリソース数を算出する。算出されたリソース数と既存のリソース数との総数が無線基地局装置内の許容リソース数を超過して新たに設定不可能だった場合、ユーザ管理テーブルを参照してセットアップされるユーザより優先度の低いユーザをテーブル内から選択し、セットアップされるユーザの割り当てに必要なリソース数が設定できるように、既存のユーザのＳＦ変更値を算出し、要求指示を無線ネットワーク制御装置１０へ送信する（ステップＳ１２）。【選択図】  図２
2006080884.tif 000002
【特許請求の範囲】
【請求項１】
無線ネットワーク制御装置と接続される無線基地局装置がユーザのリソースを管理する方法であって、
新たな呼設定要求のためのリソースを確保する際に既存のユーザのリンクを保って前記リンクに対応するリソースを一部開放するように前記既存のユーザのリソースを優先度に応じて管理することを特徴とするリソース管理方法。
【請求項２】
無線ネットワーク制御装置と接続される無線基地局装置がユーザのリソースを管理する方法であって、
新たな呼設定要求のためのセットアップメッセージを前記無線ネットワーク制御装置から受信するステップと、
前記呼設定を行うために既存のユーザのリソースに空きがあるかないかを判断するステップと、
前記セットアップメッセージが、前記既存のユーザのリンクを保って前記リンクに対応するリソースを一部開放して優先的に前記呼設定のためのリソースを確保できるメッセージであるか否かを判断するステップと、
前記既存のユーザのリソースに空きが無く、かつ前記セットアップメッセージが優先的にリソースを確保できるメッセージである場合に、前記セットアップメッセージにおける優先度より低く、かつリソース変更可能な既存ユーザを優先度の低い順から検索するステップと、
前記検索の結果、前記リソース変更可能な既存ユーザのリソースの総計が前記呼設定を行うために必要なリソースを超える場合には、前記既存ユーザのリソースを一部あるいは全て開放して前記呼設定のための新たなリソースを確保するステップと、
を含むことを特徴とするリソース管理方法。
【請求項３】
前記リソースは、前記無線基地局装置に接続される移動機から前記無線基地局装置への上りのリンクと前記無線基地局装置から前記移動機への下りのリンクとにそれぞれ対応してユーザ毎に管理されることを特徴とする請求項１または２記載のリソース管理方法。
【請求項４】
前記リソースは、拡散率に対応して定められる量であることを特徴とする請求項１または２記載のリソース管理方法。
【請求項５】
前記セットアップメッセージは、呼設定対象の移動機を識別するためのユーザ識別情報、前記無線基地局装置に接続される前記移動機のリンクを設定する際の所望のリソース情報、既存のユーザに対する優先度情報、を少なくとも含むことを特徴とする請求項２記載のリソース管理方法。
【請求項６】
前記セットアップメッセージは、さらに前記優先度情報を有効無効とする情報を含むことを特徴とする請求項５記載のリソース管理方法。
【請求項７】
前記セットアップメッセージは、複数の個別チャネル毎に前記優先度情報および前記優先度情報を有効無効とする情報を含むことを特徴とする請求項６記載のリソース管理方法。
【請求項８】
無線ネットワーク制御装置との間で呼設定要求に関わるメッセージの送受信を行う送受信部と、
ユーザのリソースを管理するユーザ管理テーブルと、
新たな呼設定要求のためのセットアップメッセージを受信する際に、前記ユーザ管理テーブルを参照して前記呼設定を行うために既存のユーザのリソースに空きがあるかないかを判断し、前記セットアップメッセージが、前記既存のユーザのリンクを保って前記リンクに対応するリソースを一部開放して優先的に前記呼設定のためのリソースを確保するメッセージであるか否かを判断し、前記既存のユーザのリソースに空きが無く、かつ前記セットアップメッセージが優先的にリソースを確保するメッセージである場合に、前記セットアップメッセージにおける優先度より低く、かつリソース変更可能な既存ユーザを優先度の低い順から前記ユーザ管理テーブルを参照して検索し、前記検索の結果、前記リソース変更可能な既存ユーザのリソースの総計が前記呼設定を行うために必要なリソースを超える場合には、前記既存のリソースを一部あるいは全て開放して前記呼設定のための新たなリソースを確保するように制御する制御部と、
を備えることを特徴とする無線基地局装置。
【請求項９】
前記ユーザ管理テーブルは、ユーザ毎に管理される、ユーザのリンクの優先度と、前記無線基地局装置に接続される移動機から前記無線基地局装置への上りのリンクにおけるリソースと、前記無線基地局装置から前記移動機への下りのリンクとにおけるリソースとを含むことを特徴とする請求項８記載の無線基地局装置。
【請求項１０】
前記リソースは、拡散率に対応して定められる量であることを特徴とする請求項８または９記載の無線基地局装置。
【請求項１１】
前記ユーザ管理テーブルは、さらに前記優先度情報を有効無効とする情報を含むことを特徴とする請求項９記載の無線基地局装置。
【請求項１２】
前記ユーザ管理テーブルは、さらに複数の個別チャネル毎に前記優先度情報および前記優先度情報を有効無効とする情報を含むことを特徴とする請求項１１記載の無線基地局装置。
【請求項１３】
請求項８記載の無線基地局装置と前記無線ネットワーク制御装置とを備えることを特徴とする無線アクセスネットワークシステム。
【発明の詳細な説明】
【技術分野】
【０００１】
本発明は、無線基地局装置およびリソース管理方法に係り、特に優先度付きの呼設定に対するリソースを管理する無線基地局装置および優先度付きの呼設定に対するリソースの管理方法に係る。
【背景技術】
【０００２】
無線アクセスネットワークシステムは、無線基地局装置（ＮｏｄｅＢ）と無線ネットワーク制御装置（ＲＮＣ）とから構成され、無線基地局装置は、複数の移動機と接続され、無線基地局制御装置は、回線交換やパケット交換を行う上位のコアネットワークに接続される。このような構成のシステムにおいて、呼設定に伴って無線基地局装置内のリソース（資源）、例えばＷ−ＣＤＭＡ（Wideband-Code Division Multiple Access）の場合にあっては、コード数、シンボルレート等により定まる無線帯域等の資源が消費される。呼設定に対し、優先度を設け、優先度に応じて既存のリソースを開放し、優先度の高い呼設定を優先的に設定可能とすることができる。この機能をプリエンプション（Pre-Emption）機能と呼ぶ。次に、従来のプリエンプション機能の一例について説明する。
【０００３】
図１１は、従来の無線基地局装置１０１と無線ネットワーク制御装置１００との間の通信シーケンスを示す図である。また、図１２は、通信シーケンス中のプリエンプション要求指示（Pre-Emption Required Indication）のフォーマットを示す図である。無線基地局装置１０１は、ステップＳ１０１でセットアップメッセージを無線ネットワーク制御装置１００から受信する。セットアップメッセージがプリエンプショントリガメッセージであり、リソースが一杯である場合に無線基地局装置１０１は、図１２に示すプリエンプション要求指示にユーザＩＤ（Identification）と、ベアラを識別するＲＬＩＤ（Radio Link ID）のみを指定して、無線ネットワーク制御装置１００へ送信する（ステップＳ１０２）。プリエンプション要求指示を受信した無線ネットワーク制御装置１００は、指定された全てのＲＬ（Radio Link）に対し、強制呼切断（Deletion）を行う指示を無線基地局装置１０１に送る（ステップＳ１０３）。無線基地局装置１０１は、既存のベアラに対するリソースの割り当て変更を行い、強制呼切断への応答を無線ネットワーク制御装置１００に返す（ステップＳ１０４）。さらに、無線基地局装置１０１は、セットアップメッセージに対するリソースの割り当てを行い、セットアップメッセージへの応答を無線ネットワーク制御装置１００に返す（ステップＳ１０５）。以上の通信シーケンスでは、無線基地局装置１０１でリソースが不足する際にリンクを切断するようになっている。
【０００４】
一方、優先度を必要とする呼の一つに緊急呼があり、移動体通信システムに属する移動機より緊急呼が発信されたときに、無線基地局の無線リソースが全て使用中であっても緊急呼の接続が可能な緊急呼接続方法が特許文献１において開示されている。この方法において、移動体通信システムを構成する移動機は、緊急発呼の際又は緊急呼通話中にハンドオーバを行う際に、緊急発呼通知メッセージを無線基地局又はハンドオーバ先の無線基地局を介して交換制御局に通知する。交換制御局は、無線基地局又はハンドオーバ先の無線基地局の無線リソースが全使用中であると判断した場合、いずれかの無線基地局が使用している無線リソースから特定のチャネルを選定し、選定したチャネルのいずれかの無線基地局での処理負荷を低減させて空きリソースを確保し、確保した空きリソースに緊急呼を割り当てるように動作する。
【０００５】
また、特許文献２には、必要に応じて必要な高速サービスを柔軟に移動通信端末に提供する技術が公共通信システムとして開示されている。この公共通信システムは、サービス目的の異なる複数通信ネットワークと、複数通信ネットワークと通信する複数移動通信端末と、Ｗ−ＣＤＭＡシステムとから構成される。Ｗ−ＣＤＭＡシステムは、複数通信ネットワークを接続して統合し、Ｗ−ＣＤＭＡにより、複数移動通信端末の各々の優先順位に基づいて、複数移動通信端末の各々が通信する伝送レートを制御し、これらの伝送レートにより、複数移動通信端末と複数通信ネットワークとを通信接続するものである。
【０００６】
【特許文献１】特開２００３−２０９８７１号公報  （図１）
【特許文献２】特開２００３−３２７５３号公報  （図１、図３）
【発明の開示】
【発明が解決しようとする課題】
【０００７】
最近の移動体などの通信網では、例えば１台の移動機で複数の通信を同時に行うマルチコールに代表される多様な呼を扱うことが増えてきている。また、上りと下りとで設定されるリンクにおけるリソースも異なっている場合がある。
【０００８】
呼の優先度に応じてリソースを管理する技術は、従来から知られている。しかしながら、最近の多様な呼設定に伴って無線基地局装置内のリソースをフレキシブルに変更する技術については開示されておらず、無線基地局装置内のリソースを有効かつフレキシブルに維持管理することが望まれていた。
【０００９】
したがって、本発明の目的は、新たな呼設定の要求によるリソースの消費に対し、既存の呼の開放を行わずにレート変更のみ行って、そのリンクを維持するように無線基地局装置内のリソースをフレキシブルに変更する無線基地局装置およびリソース管理方法を提供することにある。
【課題を解決するための手段】
【００１０】
前記目的を達成する本発明の第１のアスペクトに係るリソース管理方法は、無線ネットワーク制御装置と接続される無線基地局装置がユーザのリソースを管理する方法である。この方法は、新たな呼設定要求のためのリソースを確保する際に既存のユーザのリンクを保ってリンクに対応するリソースを一部開放するように既存のユーザのリソースを優先度に応じて管理する。
【００１１】
本発明の第２のアスペクトに係るリソース管理方法は、無線ネットワーク制御装置と接続される無線基地局装置がユーザのリソースを管理する方法である。この方法は、新たな呼設定要求のためのセットアップメッセージを無線ネットワーク制御装置から受信するステップと、呼設定を行うために既存のユーザのリソースに空きがあるかないかを判断するステップと、セットアップメッセージが、既存のユーザのリンクを保ってリンクに対応するリソースを一部開放して優先的に呼設定のためのリソースを確保できるメッセージであるか否かを判断するステップと、を含む。また、既存のユーザのリソースに空きが無く、かつセットアップメッセージが優先的にリソースを確保できるメッセージである場合に、セットアップメッセージにおける優先度より低く、かつリソース変更可能な既存ユーザを優先度の低い順から検索するステップと、検索の結果、リソース変更可能な既存ユーザのリソースの総計が呼設定を行うために必要なリソースを超える場合には、既存ユーザのリソースを一部あるいは全て開放して呼設定のための新たなリソースを確保するステップと、を含む。
【００１２】
第１の展開形態のリソース管理方法において、リソースは、無線基地局装置に接続される移動機から無線基地局装置への上りのリンクと無線基地局装置から移動機への下りのリンクとにそれぞれ対応してユーザ毎に管理されることが好ましい。
【００１３】
第２の展開形態のリソース管理方法において、リソースは、拡散率に対応して定められる量であることが好ましい。
【００１４】
第３の展開形態のリソース管理方法において、セットアップメッセージは、呼設定対象の移動機を識別するためのユーザ識別情報、無線基地局装置に接続される移動機のリンクを設定する際の所望のリソース情報、既存のユーザに対する優先度情報、を少なくとも含むことが好ましい。
【００１５】
第４の展開形態のリソース管理方法において、セットアップメッセージは、さらに優先度情報を有効無効とする情報を含むことが好ましい。
【００１６】
第５の展開形態のリソース管理方法において、セットアップメッセージは、複数の個別チャネル毎に優先度情報および優先度情報を有効無効とする情報を含むことが好ましい。
【００１７】
本発明の第３のアスペクトに係る無線基地局装置は、無線ネットワーク制御装置との間で呼設定要求に関わるメッセージの送受信を行う送受信部と、ユーザのリソースを管理するユーザ管理テーブルと、を備える。また、新たな呼設定要求のためのセットアップメッセージを受信する際に、ユーザ管理テーブルを参照して呼設定を行うために既存のユーザのリソースに空きがあるかないかを判断し、セットアップメッセージが、既存のユーザのリンクを保ってリンクに対応するリソースを一部開放して優先的に呼設定のためのリソースを確保するメッセージであるか否かを判断し、既存のユーザのリソースに空きが無く、かつセットアップメッセージが優先的にリソースを確保するメッセージである場合に、セットアップメッセージにおける優先度より低く、かつリソース変更可能な既存ユーザを優先度の低い順からユーザ管理テーブルを参照して検索し、検索の結果、リソース変更可能な既存ユーザのリソースの総計が呼設定を行うために必要なリソースを超える場合には、既存のリソースを一部あるいは全て開放して呼設定のための新たなリソースを確保するように制御する制御部を備える。
【００１８】
第１の展開形態の無線基地局装置において、ユーザ管理テーブルは、ユーザ毎に管理される、ユーザのリンクの優先度と、無線基地局装置に接続される移動機から無線基地局装置への上りのリンクにおけるリソースと、無線基地局装置から移動機への下りのリンクとにおけるリソースとを含むことが好ましい。
【００１９】
第２の展開形態の無線基地局装置において、リソースは、拡散率に対応して定められる量であってもよい。
【００２０】
第３の展開形態の無線基地局装置において、ユーザ管理テーブルは、さらに優先度情報を有効無効とする情報を含んでもよい。
【００２１】
第４の展開形態の無線基地局装置において、ユーザ管理テーブルは、さらに複数の個別チャネル毎に優先度情報および優先度情報を有効無効とする情報を含んでもよい。
【００２２】
第５の展開形態の無線基地局装置において、無線アクセスネットワークシステムは、無線基地局装置と無線ネットワーク制御装置とを備えることが好ましい。
【発明の効果】
【００２３】
本発明によれば、プリエンプション対象となったユーザであっても、可能な限りリンクを維持するようにプリエンプション機能を働かすことで、必要以上のリソースを開放する必要がなくなり、無線基地局装置内のリソースを有効かつフレキシブルに維持管理することが可能となる。
【００２４】
また、既存の呼に対してトランスポートチャネル単位での維持開放を管理することで、プリエンプション対象のユーザの呼接続の維持を簡易に行うことができる。
【発明を実施するための最良の形態】
【００２５】
図１は、本発明の実施形態に係る無線アクセスネットワークシステムの構成を示すブロック図である。図１において、無線アクセスネットワークシステムは、無線ネットワーク制御装置（ＲＮＣ）１０と無線基地局装置（ＮｏｄｅＢ）２０とから構成される。無線ネットワーク制御装置１０は、無線基地局装置２０とメッセージの送受を行うメッセージ送受信部１１と、回線交換やパケット交換を行う上位のコアネットワークに接続するための上位局インタフェース１２と、与えられたベアラに対しＵＬリソースとＤＬリソースを管理するための管理テーブル１３と、無線ネットワーク制御装置１０を制御するための制御部１４とを備える。無線ネットワーク制御装置１０は、他にもチャネル多重分離、ＡＴＭスイッチング、ダイバーシチハンドオーバ、保守運用など種々の機能を有するが、本発明に関わらない部分については説明を省略する。
【００２６】
無線基地局装置２０は、無線ネットワーク制御装置１０とメッセージの送受を行うメッセージ送受信部２１と、複数の移動機と接続し、無線の送受信の制御処理を行う移動機処理部２２と、移動機（ユーザ）のリソースを管理するユーザ管理テーブル２３と、拡散率（ＳＦ、Spreading Factor）とリソースとを対照させるためのＳＦ／リソース対照テーブル２４と、無線基地局装置２０を制御するための制御部２５とを備える。無線基地局装置２０における移動機処理部２２は、移動機との接続のための種々の機能を有するが、本発明に関わらない部分であり、その説明を省略する。以下では新たな呼設定が発生した場合における無線ネットワーク制御装置１０と無線基地局装置２０と間の通信シーケンスを主として説明する。
【００２７】
図２は、本発明の実施形態に係る無線ネットワーク制御装置と無線基地局装置との間の通信シーケンスを表すフローチャートである。図２において、無線ネットワーク制御装置１０は、新たな呼設定の要求に伴い、優先度情報を含んだセットアップメッセージをメッセージ送受信部１１を介して無線基地局装置２０に送信する（ステップＳ１１）。
【００２８】
無線基地局装置２０は、メッセージ送受信部２１を介して受信したセットアップメッセージ内の拡散率情報を参照し、設定に必要なリソース数を算出する。算出されたリソース数と既存のリソース数との総数が無線基地局装置内の許容リソース数を超過して新たに設定不可能だった場合、ユーザ管理テーブル２３を参照してセットアップされるユーザより優先度の低いユーザをテーブル内から選択し、セットアップされるユーザの割り当てに必要なリソース数が設定できるように、プリエンプション該当のユーザのＳＦ変更値を算出し、プリエンプション要求指示を無線ネットワーク制御装置１０へメッセージ送受信部２１を介して送信する（ステップＳ１２）。
【００２９】
プリエンプション要求指示を受信した無線ネットワーク制御装置１０は、指定されたＳＦを元に可能なレート変更パターンを決定し、レート変更メッセージを無線基地局装置２０へメッセージ送受信部１１を介して送信する（ステップＳ１３）。無線基地局装置２０は、このレート変更により空きリソースを確保し、レート変更メッセージに対してＯＫの応答をメッセージ送受信部２１を介して返す（ステップＳ１４）。さらに、セットアップメッセージに対してＯＫの応答を返す（ステップＳ１５）。
【００３０】
以上のように、無線ネットワーク制御装置１０と無線基地局装置２０との間で行われる優先度付きの呼設定（セットアップ）おける管理方法において、優先度の高いベアラ（Bearer）を無線基地局装置に設定する際にリソースが一杯の場合、優先度の低いベアラに対し、優先度の低いリンクを維持しながら優先度の高いリンクの呼設定を可能となるようにリソースの確保を行う。すなわち、通常であれば呼開放（Deletion）が実施されるものに対して可能な限りの既存の呼設定を維持するように動作する。
【実施例１】
【００３１】
次に、実施例に係る無線基地局装置に関し、より具体的に説明する。図１において、無線ネットワーク制御装置１０は、本来の無線基地局制御の他に、既存ベアラに対するＳＦ変更要求に従って可能なＳＦパターンを即座に判断し、無線基地局装置２０へ設定できるものとする。一方、無線基地局装置２０は、リソースが一杯のためにプリエンプション情報を持ったセットアップメッセージに対するリンクを設定できない場合に、直ちに既存ベアラ内で、変更可能なベアラを算出し、新規呼設定に必要なリソースを設定することができるＳＦを無線ネットワーク制御装置１０へ送信する機能を有するものとする。
【００３２】
図３は、無線ネットワーク制御装置１０から無線基地局装置２０に送られるセットアップメッセージ及びレート変更メッセージのフォーマットを示す図である。このメッセージは、ユーザを識別するユーザＩＤ（Identification）と、ベアラを識別するＲＬＩＤ（Radio Link ID）と、ＤＬ／ＵＬ（Down Link/Up Link）の所要リソースを決定するＳＦ情報と、多重されているトランスポートチャネルを識別するＤｃｈＩＤ（D Channel ID）毎に設けられるＤｃｈＩＤ番号、優先度レベル（Priority Level）、ケーパビリティ（Capability）、バルネラビリティ（Vulnerability）、その他設定情報（Other Information）の組とからなるフィールドを備える。
【００３３】
優先度レベルは、一定の範囲内の値を取るものとし、ここでは優先度のレベル値が大きいほど優先度が低く、最大値は、優先度無し（プリエンプション機能は動作しない）とみなす。ＤｃｈＩＤ毎に設定された優先度レベルが全て優先度無しだった場合は、セットアップメッセージは、プリエンプションを起動させるメッセージとして扱わない。また、Capabilityは、オン・オフの２つの状態を保持し、オンの場合は、プリエンプションを起動させるメッセージ(Pre-Emption Trigger Message)の対象とし、オフの場合は対象としない。Vulnerabilityもまたオン／オフの２つの状態を保持し、オンの場合は、プリエンプション可能メッセージ（レート変更によりＳＦが変更されるユーザ）として扱われ、オフの場合は、プリエンプションの対象とならない。また、Capability、Vulnerabilityのどちらかがオンになっている場合は、必ず有効な優先度値が設定され、最大値＝優先度無しが設定されることはないものとする。
【００３４】
図４は、プリエンプション要求指示メッセージのフォーマットを示す図である。本メッセージは、ユーザＩＤ、ＲＬＩＤ、変更後のＤＬＳＦ（Down Link Spreading Factor）情報、ＵＬＳＦ（Up Link Spreading Factor）情報を通知するフィールドから構成される。
【００３５】
図５は、無線ネットワーク制御装置１０が保持する管理テーブル１３の例を示す図である。１つの移動機で複数の通信を同時に行うマルチコールのベアラに対し、ＤＬＳＦ、ＵＬＳＦがそれぞれ図５の管理テーブル１３に示される値を取るように管理されている。例えば、ＤＣＣＨ（Dedicated Control CHannel）、ＰＳ（Packet Switching）64/128、ＡＭＲ（Adaptive Multi Rate）が多重されているマルチコールユーザに対し、無線基地局装置２０がＵＬＳＦ=32を指定した場合、無線ネットワーク制御装置１０は、図５の管理テーブル１３を参照して該当するＭＣ(ＤＣＣＨ3.4ｋ+ＰＳ64/64+ＡＭＲ)を設定したモード変更を実施することができる。なお、ここでＭＣ（ＤＣＣＨ3.4ｋ+ＰＳ64/64+ＡＭＲ）とは、ＤＣＣＨが3.4kbps、ＰＳが上り64kbps、下り64kbps、ＡＭＲのマルチコールであることを表す。
【００３６】
図６は、無線基地局装置２０が保持するＳＦ／リソース対照テーブル２４の例を示す図である。無線基地局装置２０は、無線ネットワーク制御装置１０から指定されたＳＦ情報をもとに、ＳＦ／リソース対照テーブル２４を参照して無線基地局装置２０において必要となるＵＬリソースおよびＤＬリソースを算出する。
【００３７】
次に、本実施例の動作について、図７、図８を参照して説明する。図７は、本発明の第１の実施例に係る無線基地局装置の動作を表すフローチャートである。また、図８は、図７におけるステップＳ２３の詳細を表すフローチャートである。図７において、無線基地局装置２０は、無線ネットワーク制御装置１０から優先度レベルを指定する図３に示すようなセットアップメッセージを受信する（ステップＳ２０）。セットアップメッセージを受信した無線基地局装置２０は、メッセージ中のＤＬＳＦ情報／ＵＬＳＦ情報を参照し、現在の無線基地局装置２０のリソース許容量内であるか判断（ステップＳ２１）し、ＩＤ情報、ＳＦ情報、プリエンプション情報等をユーザＩＤ毎に無線基地局装置２０内のユーザ管理テーブル２３に保持する。この時、リソースが一杯でなければ（ステップＳ２１のＮ）、セットアップメッセージに対応する呼設定のためのリソースを割当て、新たにユーザ管理テーブル２３に登録する（ステップＳ２８）。そして、セットアップメッセージをＯＫで無線ネットワーク制御装置１０へ返し（ステップＳ２９）、一連の動作を終了する。
【００３８】
一方、ステップＳ２１でリソースが一杯（ステップＳ２１のＹ）でかつプリエンプション対象メッセージでない（例えば、Capability=OFF）場合（ステップＳ２２のＮ）は、セットアップメッセージをＮＧで無線ネットワーク制御装置１０へ返し（ステップＳ３０）、一連の動作を終了する。
【００３９】
リソースが一杯でかつプリエンプション対象メッセージの場合（ステップＳ２２のＹ）は、無線基地局装置２０は、ユーザ管理テーブル２３における既存のユーザのリソースを検索する（ステップＳ２３）。該当するユーザが存在しない場合（ステップＳ２３のＮ）、セットアップメッセージをＮＧで無線ネットワーク制御装置１０に返信し（ステップＳ３０）、一連の動作を終了する。
【００４０】
一方、該当するユーザが存在する場合、すなわち、セットアップメッセージの優先度より低く、ＳＦを変更可能なユーザが存在し、変更したＳＦによるリソースの増加の総計がセットアップメッセージの要求するＳＦを満たす場合に（ステップＳ２３のＹ）、図４に示すプリエンプション要求指示を無線ネットワーク制御装置１０へ送信する（ステップＳ２４）。この時、プリエンプション要求指示で通知するユーザは、１ユーザに限定せずに複数の設定も可能とする。
【００４１】
図４に示すプリエンプション要求指示を受信した無線ネットワーク制御装置１０は、変更があったＳＦ値に従いレート変更可能なパターンを算出し、図３に示すレート変更メッセージを無線基地局装置２０へ送信し、無線基地局装置２０は、レート変更メッセージを受信する（ステップＳ２５）。
【００４２】
レート変更メッセージを受信した無線基地局装置２０は、新たに設定されたＳＦに従い、既存リソースの割り当て変更を実施し（ステップＳ２６）、空きリソースを確保後、レート変更メッセージ応答を無線ネットワーク制御装置１０へ送信する（ステップＳ２７）。
【００４３】
既にプリエンプション対象メッセージを受信している無線基地局装置２０は、レート変更によって空きとなった領域にリソースを割り当て、ユーザ管理テーブルを更新し（ステップＳ２８）、セットアップメッセージをＯＫで無線ネットワーク制御装置１０へ返し（ステップＳ２９）、一連の動作を終了する。
【００４４】
次に、図７におけるステップＳ２３の詳細を図８のフローチャートに示し、これについて説明する。まず、既存ユーザのリソース開放のためにユーザ管理テーブルを検索する（ステップＳ４１）。検索の結果、ユーザ管理テーブル中に検索の対象となるようなユーザが存在するか否かを調べる（ステップＳ４２）。なお、ＤｃｈＩＤ毎に複数の異なった優先度が存在する場合は、最も優先度の高いものを該当ユーザの優先度として扱うものとする。ユーザ管理テーブル中に検索の対象となるようなユーザが存在しない場合（ステップＳ４２のＮ）、ステップＳ３０に進み、ユーザ管理テーブル中に検索対象が存在する場合（ステップＳ４２のＹ）、処理対象のセットアップメッセージより優先度が低く、かつVulnerabilityがオンとなっているユーザが存在するか調べる（ステップＳ４３）。ステップＳ４３において存在する場合、ステップＳ４４に進み、存在しない場合、ステップＳ４７に進む。
【００４５】
ステップＳ４４においてＳＦ変更が可能かどうかを調べる。ＳＦ変更が可能なベアラでない場合（設定リソースが既に最小値の場合など）は、ステップＳ４７に進み、ＳＦ変更が可能なベアラであればステップＳ４５に進む。ステップＳ４５において、セットアップメッセージのユーザのための、ＳＦ変更によって生じる新たなリソースを合算する。ステップＳ４６において、合算したリソースがセットアップメッセージの要求の所定のリソース以上となったか否かを判断する。所定のリソース以上となっていればステップＳ２４に進み、所定のリソースに満たなければステップＳ４７に進む。
【００４６】
ステップＳ４７において検索対象を広げるためにユーザの優先度を一つあげて（より優先度の高いユーザを検索対象に含めて）ステップＳ４１に戻る。
【００４７】
次に、より具体的な例についてユーザ管理テーブルを参照して説明する。図９は、ユーザ管理テーブルの構成例を示す図であり、ユーザＩＤ＝６の新たなユーザが追加されてユーザ管理テーブル２３ａからユーザ管理テーブル２３ｂに更新される様子を表す。なお、図９において、本説明に関わるユーザＩＤ、ＤＬリソース、優先度のみを記載し、それ以外の欄については説明の簡単化のために省略してある。
【００４８】
テーブル２３ａに示すように既存のユーザとして、ユーザＩＤ＝１、ＤＬリソース＝１、優先度レベル＝２と、ユーザＩＤ＝２、ＤＬリソース＝２、優先度レベル＝３と、ユーザＩＤ＝３、ＤＬリソース＝１６、優先度レベル＝４と、ユーザＩＤ＝４、ＤＬリソース＝２、優先度レベル＝５と、ユーザＩＤ＝５、ＤＬリソース＝８、優先度レベル＝５と、が存在しているとする。そこに、今、ユーザＩＤ＝６、ＤＬＳＦ＝８（図６参照して相当するＤＬリソース＝１６である）、優先度レベル＝３のセットアップメッセージが処理対象になったとする。ただし、ユーザＩＤ＝４のユーザのみVulnerabilityがオフで他のユーザはオンであるとする。さらに、無線基地局装置２０のリソースの限界＝３０を仮定する。
【００４９】
既存のＤＬリソースの合計は２９であるから、リソース限界からの余りは、１＝３０−２９である。まず、最も優先度の低いユーザＩＤ＝５のユーザからＤＬリソースを最大７削減する。次にユーザＩＤ＝４のユーザからリソースを削減しようとするが、Vulnerabilityがオフであるため削減できない。さらに、優先度の低いユーザＩＤ＝３のユーザからＤＬリソースを８削減する。これによって、合計１６のＤＬリソースを獲得することができる。獲得できたＤＬリソースは、処理対象のセットアップメッセージのユーザＩＤ＝６のユーザに対し、ＤＬＳＦ＝８に相当するＤＬリソース＝１６（図６参照）が割り当てられる。
【００５０】
このようにして、優先度の低いＳＦ変更可能なユーザから可能な限りリソースを順次確保して行き、処理対象のセットアップメッセージの要求するリソースを確保できたならば、セットアップメッセージに対しＯＫを返信すると共に、ユーザをユーザ管理テーブルに登録して新たなユーザ管理テーブル２３ｂが作成されることとなる。なお、以上の説明の例では、既存のユーザのリソースを削減する際に残すべき最小リソースを１としたが、マルチコールの呼設定を維持するため、図６に示す場合にあっては、最小リソースを２残すようにしてもよい。さらに、どのくらいの最小リソースを残すかは、システムの設計上適宜定めることができる。また上記においてＤＬの場合について説明したが、ＵＬについても同様に適用することができる。
【００５１】
本実施例によれば、プリエンプション対象となったユーザであっても、可能な限りリンクを維持するようにプリエンプション機能を働かすことで、必要以上のリソースを開放する必要がなくなり、既存ユーザのリソースを有効かつフレキシブルに維持管理することができる。
【実施例２】
【００５２】
次に、本発明の第２の実施例について、図２及び図１０を用いて説明する。プリエンプション設定情報を含む(Capability=ON)メッセージを受信した無線基地局装置２０は、切断可能なトランスポートチャネル毎のＤｃｈＩＤを指定し、図１０に示すようなプリエンプション要求指示を無線ネットワーク制御装置１０へ送信する。この時の複数のユーザＩＤの指定、更にはユーザＩＤ毎にＤｃｈＩＤが複数指定されても良いものとする。一方、この指示を受け取った無線ネットワーク制御装置１０は、図２のステップＳ１３の代りに、指定されたユーザ、ＤｃｈＩＤを切断するための切断メッセージ（Deletion Message）を無線基地局装置２０へ送信する。これにより、プリエンプション設定されたセットアップユーザのリソースを確保することが可能となる。
【００５３】
第２の実施例の場合、無線ネットワーク制御装置１０は、無線基地局装置２０により指定されたＤｃｈＩＤに従い、切断メッセージを送信するだけで良く、特に実施例１のようにＳＦによるベアラ選択などする必要がない。ただし、ＤｃｈＩＤ毎に切断が実施されるため、プリエンプション対象ユーザにとっては、ＰＳ呼等の切断が発生する可能性がある。
【図面の簡単な説明】
【００５４】
【図１】本発明の実施形態に係る無線アクセスネットワークシステムの構成を示すブロック図である。
【図２】本発明の実施形態に係る無線ネットワーク制御装置と無線基地局装置との間の通信シーケンスを表すフローチャートである。
【図３】無線ネットワーク制御装置から無線基地局装置に送られるセットアップメッセージ及びレート変更メッセージのフォーマットを示す図である。
【図４】プリエンプション要求指示メッセージのフォーマットを示す図である。
【図５】無線ネットワーク制御装置が保持する管理テーブルの例を示す図である。
【図６】無線基地局装置が保持するＳＦ／リソース対照テーブルの例を示す図である。
【図７】本発明の第１の実施例に係る無線基地局装置の動作を表すフローチャートである。
【図８】図７におけるステップＳ２３の詳細を表すフローチャートである。
【図９】ユーザ管理テーブルの構成例を示す図である。
【図１０】本発明の第２の実施例に係るプリエンプション要求指示メッセージのフォーマットを示す図である。
【図１１】従来の無線基地局装置と無線ネットワーク制御装置との間の通信シーケンスを示す図である。
【図１２】従来の通信シーケンス中のプリエンプション要求指示のフォーマットを示す図である。
【符号の説明】
【００５５】
１０  無線ネットワーク制御装置
１１  メッセージ送受信部
１２  上位局インタフェース
１３  管理テーブル
１４  制御部
２０  無線基地局装置
２１  メッセージ送受信部
２２  移動機処理部
２３、２３ａ、２３ｂ  ユーザ管理テーブル
２４  ＳＦ／リソース対照テーブル
２５  制御部
【図１】
2006080884.tif 000003
【図２】
2006080884.tif 000004
【図３】
2006080884.tif 000005
【図４】
2006080884.tif 000006
【図５】
2006080884.tif 000007
【図６】
2006080884.tif 000008
【図７】
2006080884.tif 000009
【図８】
2006080884.tif 000010
【図９】
2006080884.tif 000011
【図１０】
2006080884.tif 000012
【図１１】
2006080884.tif 000013
【図１２】
2006080884.tif 000014